【手続補正書】
【提出日】平成19年1月11日(2007.1.11)
【手続補正１】
【補正対象書類名】特許請求の範囲
【補正対象項目名】全文
【補正方法】変更
【補正の内容】
【特許請求の範囲】
【請求項１】
各々がコントローラと当該コントローラに接続される物理的なボリュームを有する複数のストレージ装置と、
前記複数のストレージ装置が有する物理的なボリュームを仮想的なボリュームとして管理し、物理的なボリュームと仮想的なボリュームとの間の対応関係を管理し、計算機からの当該仮想的なボリュームへのアクセスを受け付ける仮想化部と、
前記複数のストレージ装置が有する物理的なボリュームの属性に基づいて、各々一以上の物理的なボリュームが属する複数のストレージ階層を定義し、当該複数のストレージ階層と各ストレージ階層に属する物理的なボリュームに対応づけられた仮想的なボリュームとの関係を管理する管理部とを有し、
前記管理部が、移動元の仮想的なボリュームと移動先となるストレージ階層を指定するための情報を受信すると、
前記管理部の制御によって、指定された前記移動先となるストレージ階層に対応付けられた仮想的なボリュームの中から移動先の仮想的なボリュームが選択され、前記移動元の仮想ボリュームのデータが前記移動先の仮想ボリュームにコピーされ、
前記仮想化部は、前記移動元の仮想的なボリュームの識別情報を、当該移動元の仮想的なボリュームに変えて前記移行先の仮想的なボリュームに割り当てることを特徴とするストレージシステム。
【請求項２】
請求項１記載のストレージシステムであって、
前記管理部は、複数の仮想的なボリュームから構成されるマイグレーショングループを管理しており、前記管理部が移動元の仮想的なボリュームを指定するための情報として当該マイグレーショングループを指定するための情報を受信した場合に、
前記管理部の制御によって、指定された前記マイグレーショングループに属する複数の仮想的なボリューム各々について、指定された前記移動先となるストレージ階層に対応付けられた仮想的なボリュームの中から移動先の仮想的なボリュームが選択され、前記マイグレーショングループに属する複数の仮想的なボリューム各々のデータが、当該各仮想的なボリュームの移動先として選択された移動先の仮想的なボリュームにコピーされ、
前記仮想化部は、前記マイグレーショングループに属する複数の仮想的なボリューム各々の識別情報を、当該各仮想的なボリュームの移動先として選択された前記移動先の仮想的なボリュームに割り当てることを特徴とするストレージシステム。
【請求項３】
請求項２記載のストレージシステムであって、
前記管理部は、複数の仮想的なボリュームの中から相互に所定の関連性のある仮想的なボリュームを複数特定し、特定された複数の仮想的なボリュームを有する前記マイグレーショングループを作成することを特徴とするストレージシステム。
【請求項４】
請求項２記載のストレージシステムであって、前記マイグレーショングループには、同じアプリケーションによって使用されるデータを格納している複数の仮想的なボリュームが含まれることを特徴とするストレージシステム。
【請求項５】
請求項１記載のストレージシステムであって、前記管理部は各ストレージ階層を定義するために用いられる条件を受信し、前記複数のストレージ装置の物理的なボリュームの属性が前記条件を満たすか否かを判断することによって、各ストレージ階層を定義することを特徴とするストレージシステム。
【請求項６】
請求項１記載のストレージシステムであって、ストレージ階層には、各々異なるストレージ装置が有する複数の物理的なボリュームが含まれることを特徴とするストレージシステム。
【請求項７】
請求項１記載のストレージシステムであって、物理的なボリュームには、一又は複数の仮想的なボリュームが前記仮想化部によって対応付けられていることを特徴とするストレージシステム。
【請求項８】
各々がコントローラと当該コントローラに接続される物理的なボリュームを有する複数のストレージ装置と、
前記複数のストレージ装置が有する物理的なボリュームを仮想的なボリュームとして管理し、物理的なボリュームと仮想的なボリュームとの間の対応関係を管理し、計算機からの当該仮想的なボリュームへのアクセスを受け付ける仮想化部と、
データの移動を管理する管理部とを有するストレージシステムにおけるデータの移動方法であって、
前記管理部は、前記複数のストレージ装置が有する物理的なボリュームの属性に基づいて、各々一以上の物理的なボリュームが属する複数のストレージ階層を定義し、当該複数のストレージ階層と各ストレージ階層に属する物理的なボリュームに対応づけられた仮想的なボリュームとの関係を管理し、
前記管理部が、移動元の仮想的なボリュームと移動先となるストレージ階層を指定するための情報を受信すると、
前記管理部の制御によって、指定された前記移動先となるストレージ階層に対応付けられた仮想的なボリュームの中から移動先の仮想的なボリュームが選択され、前記移動元の仮想ボリュームのデータが前記移動先の仮想ボリュームにコピーされ、
前記仮想化部は、前記移動元の仮想的なボリュームの識別情報を、当該移動元の仮想的なボリュームに変えて前記移行先の仮想的なボリュームに割り当てることを特徴とするデータの移動方法。
【請求項９】
請求項８記載のデータの移動方法であって、
前記管理部は、複数の仮想的なボリュームから構成されるマイグレーショングループを管理し、
前記管理部が移動元の仮想的なボリュームを指定するための情報として当該マイグレーショングループを指定するための情報を受信した場合に、
前記管理部の制御によって、指定された前記マイグレーショングループに属する複数の仮想的なボリューム各々について、指定された前記移動先となるストレージ階層に対応付けられた仮想的なボリュームの中から移動先の仮想的なボリュームが選択され、前記マイグレーショングループに属する複数の仮想的なボリューム各々のデータが、当該各仮想的なボリュームの移動先として選択された移動先の仮想的なボリュームにコピーされ、
前記仮想化部は、前記マイグレーショングループに属する複数の仮想的なボリューム各々の識別情報を、当該各仮想的なボリュームの移動先として選択された前記移動先の仮想的なボリュームに割り当てることを特徴とするデータの移動方法。
【請求項１０】
請求項９記載のデータの移動方法であって、
前記管理部は、複数の仮想的なボリュームの中から相互に所定の関連性のある仮想的なボリュームを複数特定し、特定された複数の仮想的なボリュームを有する前記マイグレーショングループを作成することを特徴とするデータの移動方法。
【請求項１１】
請求項９記載のデータの移動方法であって、
前記管理部は、同じアプリケーションによって使用されるデータを格納している複数の仮想的なボリュームを用いて前記マイグレーショングループを作成することを特徴とするデータの移動方法。
【請求項１２】
請求項８記載のデータの移動方法であって、前記管理部は各ストレージ階層を定義するために用いられる条件を受信し、前記複数のストレージ装置の物理的なボリュームの属性が前記条件を満たすか否かを判断することによって、各ストレージ階層を定義することを特徴とするデータの移動方法。
【請求項１３】
請求項８記載のデータの移動方法であって、ストレージ階層には、各々異なるストレージ装置が有する複数の物理的なボリュームが含まれることを特徴とするデータの移動方法。
【請求項１４】
請求項８記載のデータの移動方法であって、物理的なボリュームには、一又は複数の仮想的なボリュームが前記仮想化部によって対応付けられていることを特徴とするデータの移動方法。